(57)【要約】      （修正有）【課題】カーテンウォール等の被接地物を、接地物と見られる建造物の鉄骨などの金属性構造物に確実に接続して良好な導電的接続が得られ、また取り付け作業性に優れるブラインドねじ機構を具備した導電接続ユニットを提供する。【解決手段】電気導体１０／圧着端子２０／締付けボルト３０／回動型角ナット４０／ナット拘束部材５０の構成部材を備え、前記圧着端子２０と前記回動型角ナット４０との間に介在配置される導電部材６０を、この導電部材に設けられた貫通穴６１を通して、前記回動型角ナット４０と螺合する前記締付けボルト３０を締め付けることによって挟持して、前記導電部材から電気的接続を得るための、ブラインドねじ機構を具備した導電接続ユニットとして構成する。【選択図】図１
2006172834.tif 000002
【特許請求の範囲】
【請求項１】
電気導体／圧着端子／締付けボルト／回動型角ナット／ナット拘束部材の構成部材を備えて、前記圧着端子と前記回動型角ナットとの間に介在配置される導電部材を、この導電部材に設けられた貫通穴を通して、前記回動型角ナットと螺合する前記締付けボルトを締め付けることによって挟持して、前記導電部材から電気的接続を得るための導電接続ユニットであって、
前記圧着端子は、前記電気導体の端部を固着するための圧着部と、前記ナット拘束部材のガイド体を挿通させるための挿通穴を有する平板部と、を備え、
前記ナット拘束部材は、円環形状のキャップ体と二股状のガイド体とを備え、
前記キャップ体は、前記締付けボルトを挿通するボルト穴を有して、この締付けボルトの頭部と前記圧着端子の平板部と間に介装配置され、
前記ガイド体は、前記導電部材の貫通穴を通過可能な形状を成す、前記キャップ部から締付けボルトの両側に延長するようにして添設される２体のガイド部を有して、このガイド部の内面側に前記回動型角ナットの突起部が前記締付けボルトに添って移動するための長溝部、を備え、
前記回動型角ナットは、その中央にあって前記締付けボルトと螺合するための螺子部と、前記ガイド体の長溝部と摺動回動自在に係合されるため両側面に設けられた突起部と、を備え、
前記ナット拘束部材のガイド体と前記回動型角ナットとの相互位置関係は、前記導電部材の貫通穴を挿通可能となるように前記回動型角ナットが前記２体のガイド部に収納される挿通時配置と、挿通後に前記回動型角ナットが回動して前記締付けボルトと螺合可能となる締付時配置と、を備え、
前記ナット拘束部材のキャップ体の外周側に突出部を形成し、前記キャップ体の回転時にこの突出部が前記電気導体の端部または前記圧着端子の圧着部と係止または衝突するような配置関係となるように構成することにより、前記締付けボルトの締め付け時に前記ナット拘束部材の共回りを防止する構造を備える、ことを特徴とする導電接続ユニット。
【請求項２】
請求項１に記載の導電接続ユニットにおいて、
前記導電部材に穿設した貫通穴に相当する内径を有する緩み防止部材を、前記キャップ体と圧着端子の平板部との間に介在させて、前記締付けボルトで締付けることを特徴とする導電接続ユニット。
【請求項３】
請求項２に記載の導電接続ユニットにおいて、
前記キャップ体と圧着端子の平板部との間に介在させる前記緩み防止部材の形状を、貫通穴の穴径と同等な内径とし、且つ、その外径は前記キャップ体内に収納可能な外径であって、前記締付けボルトの締付け時に、前記キャップ体の底部に円板状の鍔部を前記緩み防止部材により押付け固定するようにして共回りを防止した、ことを特徴とする導電接続ユニット。
【請求項４】
請求項１〜３いずれかに記載の導電接続ユニットにおいて、
前記ナット拘束部材は、前記円環形状のキャップ体と、このキャップ体の内側に嵌合する円板状の鍔部を有する前記二股状のガイド体と、が一体的に組立てられており、
前記キャップ体とガイド体とは、前記締付けボルトを挿通するボルト穴を有して、この締付けボルトの頭部と前記圧着端子の平板部と間に介装配置されて構成される、ことを特徴とする導電接続ユニット。
【請求項５】
請求項１〜４いずれかに記載の導電接続ユニットにおいて、
前記ガイド体は、前記ガイド部の内面側に前記回動型角ナットの両側にある平坦外側面と接触してその移動動作と回動動作を可能にするための平坦内長面を備え、
前記ガイド体の長溝部は、前記回動型角ナットの突起部が締付けボルトに添って移動するための平坦内長面上の長溝部であって、この長溝部において前記回動型角ナットの突起部の移動を停止するための停止部と、を備え、
前記回動型角ナットの突起部は、前記ガイド体の平坦内長面と摺接する平坦外側面と、この平坦外側面上の前記螺子部の位置にあって前記ガイド体の平坦内長面の長溝部と摺動回動自在に係合されるための突起部である、ことを特徴とする導電接続ユニット。
【請求項６】
請求項５記載の導電接続ユニットにおいて、
前記回動型角ナットは、前記回動型角ナットの突起部と前記ガイド体の停止部とが一致した挿通時配置にあるとき、前記締付けボルトの先端部を当接させることによって前記回動型角ナットを回動させるためのスライド用傾斜面を備える、ことを特徴とする導電接続ユニット。
【請求項７】
請求項５または６に記載の導電接続ユニットにおいて、
前記回動型角ナットの回動または配置関係を規定するため、前記回動型角ナットの平坦外側面に、前記ガイド体の平坦内長面の側端辺部と係止するための係止部を備える、ことを特徴とする導電接続ユニット。
【請求項８】
請求項７に記載の導電接続ユニットにおいて、
前記回動型角ナットの平坦外側面の係止部を前記ガイド体に係止させるために、前記ガイド体の平坦内長面の側端辺部に切欠き凹部を備える、ことを特徴とする導電接続ユニット。
【請求項９】
請求項１〜８いずれかに記載の導電接続ユニットを用いて、複数の導電部材を導電接続させる方法であって、
導電部材である被接地部材に、前記回動型角ナットが収納されて挿通時配置となったときの前記ナット拘束部材のガイド体が挿通できる貫通穴を穿設し、
この貫通穴に前記ガイド体を挿入し、前記締付けボルトを締め付けることにより、被接地部材を電気的に導通接続することを特徴とする導電接続方法。
【発明の詳細な説明】
【技術分野】
【０００１】
本発明は、高層ビルなど建造物に用いられている導電性構造部材を電気的に接続するのに適する導電接続ユニットおよび導電接続方法にかかり、より詳細には、飾り壁材・縁取りレール・金属製飾り壁などのいわゆるカーテンウォールと呼ばれる金属補助構造材の相互を端子付導電線で電気的に接続して、雷保護システム・避雷導電構造などを構成する際に有効な導電接続ユニットおよび導電接続方法に関するものである。
【背景技術】
【０００２】
送電線路の鉄塔や高層建造物が落雷を受けることはよくあることであるが、近年電子技術の普及に伴って、一般のオフィスや（集合）住宅においても受電設備、電力配線、通信配線、ＴＶフイーダーなどの各種電気設備をはじめ、コンピュータ装置などの各種の電子機器が配備されている。これらの電気設備および電子機器は小型化と省電力化が重要視されるために、サージ耐圧の低い半導体素子や集積回路が多用されている。電子機器自体でサ−ジ電圧を抑制することは当然必要であるが、建物が直撃雷を受けた場合や他の建物に落雷して電源線や通信線を通って雷電流の一部が自建物に侵入する場合でも、機器を安全に動作せせるためには建物および配線の等電位化が必要である。
【０００３】
ところが、高層ビルなどにおいては頂部の避雷針に落雷するとは限らず、前記カーテンウォールなどの金属製枠体については、この金属性枠体は相互が確実に電気的に接続されていないため、該側壁から雷サージ電圧が進入し、雷電流の通過によって建造物自体の内部に電位差が生じ、これらの電位差および雷サージに起因するフラッシュオーバー、機器や設備の損傷、火災、爆発あるいは人体の感電災害などを惹起する問題があった。
【０００４】
高層ビルなどの建造物が落雷を受けたときの事故や災害を防止するために、等電位ボンディング法による落雷事故対策方法として、複数の導体が組み込まれて形成される建造物において、発明者らは、これらの導体相互を導体接続装置で電気的に接続する導電接続ユニットを開発している（例えば特許文献１参照）。
【０００５】
また、長手方向の略中央部に角軸部を有するネジ軸と、該ネジ軸に装着される連結プラグとからなるパイプジョイントを構成し、前記連結プラグはねじ軸の角軸部側に嵌合されると共に、略角錐型で且つ外周に楔形突起を有する第１緊締部材と、ネジ軸の先端側に螺合されると共に略角錐型で且つ外周に楔型突起を有する第２の緊締部材と、両緊締部材の外周に拡開可能に嵌合される割り型スリーブとから構成し、連結プラグを連結すべきパイプ内に嵌入後回転させて両緊締部材を相互に接近させることにより、割型スリーブを外側に拡開してパイプの内面に圧着させるようにしたパイプジョイント（例えば特許文献２）がある。そして、建築物などの雷保護システムを構築するための諸規定を定めたものに（例えば非特許文献１）などがある。
【０００６】
【特許文献１】特開２００３−１９９２３９号公報
【特許文献２】特開平０８−０７４８２３号公報
【非特許文献１】日本工業標準調査会  審議  ＪＩＳ  Ａ４２０１：２００３「建築物の雷保護」平成１５年７月８日改正
【発明の開示】
【発明が解決しようとする課題】
【０００７】
前記［特許文献１］の導電接続ユニットによる方法は、同文献の図１５に示すように、鉄筋、鉄骨、梁筋などの複数の導体が組み込まれて形成される建造物において、導体接続装置（鉄筋接続装置）を用いて電気的に接続して建造物内部の等電位化を図ったものであるが、数百メートル級の高層建築物の雷防護システムを構築する場合、［特許文献１］の方法ではカーテンウォール枠体などの相互間が電気的に接続されていないために、前記カーテンウォール枠体などの側壁からの雷サージ電圧進入を効果的に防護することが出来なかった。
【０００８】
また、［特許文献２］におけるパイプジョイントは、ネジ軸に装着された連結プラグをパイプ内に挿入してから径方向に拡開してパイプ内周面に圧着固定する方式を持つパイプジョイントであり、緊締部材の外周に割形スリーブの分割面間に進入してこれを拡開させる楔形突起を形成する構成を採用することができる。
ところが、この特許文献２においては、例えば同文献の図１６〜図１７における実施形態による構造をもつパイプジョイントでは、割型スリーブ１１の外径とパイプＰの内径が殆ど等しいような場合、ネジ軸１に装着される連結プラグ３の緊締部材１２がネジ軸１あるいは割型スリーブ１１と緊締部材１２とが共回りしてしまい、割型スリーブ１１のスリット１１ａを拡開させてパイプ内周面に圧着させることが出来なくなる虞がある。よって、カーテンウォールなどの被接地物に導電接続ユニットを取り付けるときに、このパイプジョイントをその締付け接続部材として適用するとすれば、その施工性や作業性の面で大きな問題がある。
【０００９】
本発明は、建造物の外装材によく用いられているアルミ製カーテンウォールなどの被接地物を、接地物と見られる建造物の鉄骨などの金属性構造物に確実に接続して、良好な導電的接続が得られる導電接続ユニットを提供するとともに、被接地物であるカーテンウォールに導電接続ユニットを取付けて接続するための施工作業を行うにあたっては、構成部材の共回り等により締め付け作業が非能率となることなく、カーテンウォールを施工する側からの作業だけでその締め付け接続を完了させることができ、カーテンウォールの後ろ側に手を回して作業する必要の無い「ブラインドねじ機構(通称)」を具備した導電接続ユニットを提供することをその目的としている。
【課題を解決するための手段】
【００１０】
本発明では上記目的を達成するために、次のような手段を用いる。
（１）電気導体／圧着端子／締付けボルト／回動型角ナット／ナット拘束部材の構成部材を備えて、前記圧着端子と前記回動型角ナットとの間に介在配置される導電部材を、この導電部材に設けられた貫通穴を通して、前記回動型角ナットと螺合する前記締付けボルトを締め付けることによって挟持して、前記導電部材から電気的接続を得るための導電接続ユニットであって、
前記圧着端子は、前記電気導体の端部を固着するための圧着部と、前記ナット拘束部材のガイド体を挿通させるための挿通穴を有する平板部と、を備え、
前記ナット拘束部材は、円環形状のキャップ体と二股状のガイド体とを備え、
前記キャップ体は、前記締付けボルトを挿通するボルト穴を有して、この締付けボルトの頭部と前記圧着端子の平板部と間に介装配置され、
前記ガイド体は、前記導電部材の貫通穴を通過可能な形状を成す、前記キャップ部から締付けボルトの両側に延長するようにして添設される２体のガイド部を有して、このガイド部の内面側に前記回動型角ナットの突起部が前記締付けボルトに添って移動するための長溝部を備え、
前記回動型角ナットは、その中央にあって前記締付けボルトと螺合するための螺子部と、前記ガイド体の長溝部と摺動回動自在に係合されるため両側面に設けられた突起部と、を備え、
前記ナット拘束部材のガイド体と前記回動型角ナットとの相互位置関係は、前記導電部材の貫通穴を挿通可能となるように前記回動型角ナットが前記２体のガイド部に収納される挿通時配置と、挿通後に前記回動型角ナットが回動して前記締付けボルトと螺合可能となる締付時配置と、を備え、
前記ナット拘束部材のキャップ体の外周側に突出部を形成し、前記キャップ体の回転時にこの突出部が前記電気導体の端部または前記圧着端子の圧着部と係止または衝突するような配置関係となるように構成することにより、前記締付けボルトの締め付け時に前記ナット拘束部材の共回りを防止する構造を備える。
【００１１】
（２）(１)の導電接続ユニットにおいて、
前記導電部材に穿設した貫通穴に相当する内径を有する緩み防止部材を、前記キャップ体と圧着端子の平板部との間に介在させて、前記締付けボルトで締付ける。
（３）(２)の導電接続ユニットにおいて、
前記キャップ体と圧着端子の平板部との間に介在させる前記緩み防止部材の形状を、貫通穴の穴径と同等な内径とし、且つ、その外径は前記キャップ体内に収納可能な外径であって、前記締付けボルトの締付け時に、前記キャップ体の底部に円板状の鍔部を前記緩み防止部材により押付け固定するようにして共回りを防止した構造を備える。
【００１２】
（４）(１)〜(３)いずれかの導電接続ユニットにおいて、
前記ナット拘束部材は、前記円環形状のキャップ体と、このキャップ体の内側に嵌合する円板状の鍔部を有する前記二股状のガイド体と、が一体的に組立てられており、
前記キャップ体とガイド体とは、前記締付けボルトを挿通するボルト穴を有して、この締付けボルトの頭部と前記圧着端子の平板部と間に介装配置されて構成される。
【００１３】
（５）(１)〜(４)いずれかの導電接続ユニットにおいて、
前記ガイド体は、前記ガイド部の内面側に前記回動型角ナットの両側にある平坦外側面と接触してその移動動作と回動動作を可能にするための平坦内長面を備え、
前記ガイド体の長溝部は、前記回動型角ナットの突起部が締付けボルトに添って移動するための平坦内長面上の長溝部であって、この長溝部において前記回動型角ナットの突起部の移動を停止するための停止部と、を備え、
前記回動型角ナットの突起部は、前記ガイド体の平坦内長面と摺接する平坦外側面と、この平坦外側面上の前記螺子部の位置にあって前記ガイド体の平坦内長面の長溝部と摺動回動自在に係合されるための突起部である。
【００１４】
（６）(５)の導電接続ユニットにおいて、
前記回動型角ナットは、前記回動型角ナットの突起部と前記ガイド体の停止部とが一致した挿通時配置にあるとき、前記締付けボルトの先端部を当接させることによって前記回動型角ナットを回動させるためのスライド用傾斜面を備える。
（７）(５)または(６)の導電接続ユニットにおいて、
前記回動型角ナットの回動または配置関係を規定するため、前記回動型角ナットの平坦外側面に、前記ガイド体の平坦内長面の側端辺部と係止するための係止部を備える。
（８）(７)の導電接続ユニットにおいて、
前記回動型角ナットの平坦外側面の係止部を前記ガイド体に係止させるために、前記ガイド体の平坦内長面の側端辺部に切欠き凹部を備える。
【００１５】
（９）(１)〜(６)いずれかの導電接続ユニットを用いて、複数の導電部材を導電接続させる方法であって、
導電部材である被接地部材に、前記回動型角ナットが収納されて挿通時配置となったときの前記ナット拘束部材のガイド体が挿通できる貫通穴を穿設し、
この貫通穴に前記ガイド体を挿入し、前記締付けボルトを締め付けることにより、被接地部材を電気的に導通接続する導電接続方法とした。
【発明の効果】
【００１６】
本発明によれば、つぎのような格別の効果がある。
１）本発明による導電接続ユニットおよび導電接続方法によれば、カーテンウォール枠体などの導電構造部材を、可撓性のあるアルミ撚り線などの電気導体からなる避雷用の導電接続ユニットによって、相互に電気的に導通連結することができるので、高層ビルなどであっても側雷などによるラッシュオーバー、機器や設備の損傷、火災、爆発あるいは人体の感電災害などを、きわめて効果的に防止できる。また、本発明による導電接続ユニットは、５０ｋＡのインパルス電流を３回流しても実用上の損傷が生じないように設計することができ、締め付け部のねじの緩みが生じにくく、落雷時に各構成部材が溶損するようなこともない。
【００１７】
２）本発明による導電接続ユニットは、地震や強風などの揺れに対しても過大な張力が作用しないように最適な長さで余裕を持って配策固着するように構成できるので、カーテンウォール枠体相互の電気的導通を長期安定的に維持でき、側雷被害を確実に防止できる。
【００１８】
３）本発明による導電接続ユニットは、カーテンウォール枠体にボルトを作業者が片側だけから締め込んで固定することができ、また、共回りを防止し得る構成を用いている。このため、カーテンウォール枠体への取付け作業をする側にいる作業者は、締付けボルトを締め込むだけの簡便な作業によって、その取付けを迅速確実に行うことができる。
【００１９】
４）本発明による導電接続方法は、カーテンウォール枠体に予め導電接続ユニットを取り付けるための取付け穴(貫通穴)を複数箇所にあけて置くと共に、この取付け穴(貫通穴)に導電接続ユニットの端子の一方を固着しておき、ビル壁面にカーテンウォール枠体を固定後他方の導電接続ユニットの圧着端子でカーテンウォール枠体相互を電気的に導通連結するように構成できるので、カーテンウォール用導電接続ユニットの取付け工事時間を半減することができ、しかも安価で均一な施工ができるので一層経済的である。
５）緩み防止部材をキャップ体５０と圧着端子の平板部２２との間に介在させて締付ける様にしたから、建造物が地震や強風などで揺れを生じた際にもカーテンウォール枠体等に取付けた導電ユニットの締付けボルトは、緩みを生ずることがなく長期に亘り安定して良好な導電性を維持することが出来る。
【発明を実施するための最良の形態】
【００２０】
さて、本発明による導電接続ユニットおよび導電接続方法の実施の形態について、図１〜１０を参照しながらより詳細に説明する。
図１は本発明の一実施形態にかかる導電接続ユニットの構成図であって、図１(１)は導電接続ユニット１００の上面外観図、図１(２)は導電接続ユニット１００の一部断面図を含む側面外観図である。
図２(１)〜(３)については、図２(１)は、図１の導電接続ユニット１００の構成部材である回動型角ナット４０を示す外観斜視図であり、また、図２(２)は、同じくナット拘束部材５０を示す外観斜視図であって、次の図２(３)はそのナット拘束部材５０の下面図である。
【００２１】
図３は、ナット拘束部材５０の構造を説明するための図であり、図３(１)は外観斜視による分解図、図３(２)は正面による分解図である。図３に示すように、ナット拘束部材５０は、キャップ体５１とガイド体５３とが組み合わされて一体的に構成されたものであり、ガイド体５３の薄厚円板状の鍔部５３’の中央にボルト穴５３ｈが設けられ、この円板状の鍔部５３’の下部には貫通穴（締付け穴）５３ｈに挿通可能な円筒状の胴部５３Ａが形成され、この胴部５３Ａの周上から下方に一対のガイド部５３ａ，５３ｂが延設されている。また、前記円板状の鍔部５３’の外径Ｇ１はキャップ体５１の内径Ｃ１に嵌合する形状および寸法とされている。すなわちここでは、鍔部５３’の外径Ｇ１とキャップ体５１の内径Ｃ１との寸法関係は、Ｇ１＝Ｃ１、またはＧ１がＣ１より僅かに大のようにして設計されるとよい。そして、円筒状の胴部５３Ａの挿入方向長さＨは後述する図１０で説明するが、締付けボルト３０で締付けた状態で導電部材６０を貫通して突出しない長さとされている。
【００２２】
図４(１)〜(２)については、回動型角ナット４０をナット拘束部材５０に組み込んだときの状態を示す下面図であり、図４(１)は、回動型角ナット４０がナット拘束部材５０に収納された挿入時配置状態を、図４(２)は、回動型角ナット４０が挿入時状態から９０度回転されて横方向に向けられ、締め付けボルトと螺合される位置になった締付時配置状態（締め付け開始から締め付け完了までの状態）を示す図である。
【００２３】
図５は、回動型角ナット４０とナット拘束部材５０との部材相互が組み合わされたときの位置関係を示す外観斜視図であって、図５(ａ)は導電部材６０の貫通穴６１に挿入時の配置状態を、図５(ｂ)は締付開始時の配置状態を、図５(ｃ)は締付完了時の配置状態をそれぞれ示す。
図６は、導電接続ユニット１００を導電部材６０に接続するための取り付け作業をするときの外観斜視による説明図であって、図６(ａ)は挿入時の状況を、図５(ｂ)は締付開始時の状況を、図５(ｃ)は締付完了時の状況をそれぞれ示す。
【００２４】
図７は、本発明による他の実施形態として導電接続ユニット１１０を示す上面図(図７(１))と側面図(図７(２))であり、ここではナット拘束部材のキャップ体の外周側には突出部Ｔが配設されており、また、ここの回動型角ナット４８では、その傾斜面部４８’の両側に縁部が設けられていない。
図８は、ナット拘束部材のキャップ体の外周側にある突出部Ｔの例を示す図であり、図８(１)は断面逆Ｕ字形のキャップ体の外側面の一部を切り欠いてそれを引き出したもの(Ｔａ)、図８(２)はキャップ体の外側面の一箇所に突出部を形成したもの(Ｔｂ)である。前記断面Ｕ字型の内部には、前にも説明したように、ナット拘束部材５０の円板状鍔部５３’の外径Ｇ１がキャップ体の内径Ｃ１に収納可能な寸法に形成されている。
【００２５】
図９は、建造物が地震や強風などで揺れを生じた際、カーテンウォール枠体等に取付けた導電ユニットの締付けボルトの緩みなどに起因する電気的導電性の不具合を回避するために、緩み防止部材６３を、キャップ体５１と圧着端子２０の平板部２２との間に介在させ、締付けボルト３０を貫通して締付ける様にした実施形態を示す側面略図である。
【００２６】
図１０は、図９の実施形態と同様の目的であるが、さらに他の実施形態を示す一部切開側面図である。図１０でも、緩み防止部材６４をキャップ体５１と圧着端子２０の平板部２２との間に介在させるのは図９と同じではあるが、緩み防止部材６４が断面逆Ｕ字状のキャップ体５１の内部に収納されるようにして締付けられるような構造にしたところが、図９のものとは異なる。
【００２７】
本発明にかかる図１に示す導電接続ユニット１００は、電気導体１０(ここではアルミより線などからなる電線)、圧着端子２０、締付けボルト３０、回動型角ナット４０、ナット拘束部材５０の構成部材を備えており、圧着端子２０と回動型角ナット４０との間に介在配置される導電部材６０を、この導電部材６０に穿設された貫通穴６１(取付穴)を通して、回動型角ナット４０と螺合する締付けボルト３０を締め付けることによって挟持し、導電部材６０から電気的接続を得ることができる構成である。また、この電気導体１０と接続される圧着端子２０は、電気導体１０の端部を固着するための圧着部２１と、締付けボルト３０を挿通させるための挿通穴２３とを有して電気導体１０と面接続する平板部２２と、を備える。
【００２８】
先ず、ナット拘束部材５０については、図２(２)に示すように、断面Ｕ字状の円環形状のキャップ体５１と、前記円環形状のキャップ体５１の内側に嵌合する円板状の鍔部５３’と二股状で短冊状の２つのガイド部(５３ａと５３ｂ)とを備えるガイド体５３と、が一体的に組立てられている。前記キャップ体５３と、円板状の鍔部５３’とガイド部(５３ａと５３ｂ)とを有する二股状のガイド体５３とは、前記締付けボルトを挿通するボルト穴(５２と５３ｈ)を有して、この締付けボルトの頭部３１と前記圧着端子の平板部２２と間に介装配置され、締付けボルト３０の締め込みによって挟持される部材である。
ここで、キャップ体５１はアルミや銅等の金属材料とし、２つのガイド部(５３ａと５３ｂ)のあるガイド体５３は樹脂による成型しやすい材料とし、これらキャップ体５１とガイド体５３の二部材を組み合わせて結合させ、ナット拘束部材５０として一体的に構成することができる。
【００２９】
また、ナット拘束部材５０が備える２体のガイド部(５３ａと５３ｂ)は、導電部材６０の貫通穴６１を通過可能となる外観形状を成して、キャップ体５１のボルト穴５２から挿入される締付けボルト３０の軸方向の両側に延長して添設されるよう形成されている。ここで、ガイド部(５３ａと５３ｂ)の外側面(５６ａと５６ｂ)の形状と寸法については、導電部材６０に穿設された円形断面の貫通穴６１内を通過可能な寸法径を有する円形断面形状によって構成されており、図２(３)において、この外側面(５６ａと５６ｂ)が接する円形線が符号５７で示されている。
【００３０】
そして、これらの２つのガイド部(５３ａと５３ｂ)のあるガイド体５３は、図２(１)に示す回動型角ナット４０の両側にある平坦外側面(４１ａと４１ｂ)に面接触して、その移動動作と回動動作を可能にするための平坦内長面(５４ａと５４ｂ)を備える。また、回動型角ナット４０の平坦外側面(４１ａと４１ｂ)の中心に設けられた突起部(４３ａと４３ｂ(図示しない))が、締付けボルトの中心軸線に添って移動させるために、平坦内長面(５４ａと５４ｂ)上にボルト軸に添った長細い長溝部(５５ａ(図示しない)と５５ｂ)を備えており、また、この長溝部(５５ａと５５ｂ)において回動型角ナット４０の突起部(４３ａと４３ｂ)の移動を停止させるための長溝部の終端部にあたる位置に停止部(Ｓａ(図示しない)とＳｂ)を備える。
【００３１】
つぎに、導電接続ユニット１００の回動型角ナット４０は、図２(１)に示すように、４つの平坦な長側面(４１ａと４１ｂ、４５ａと４５ｂ)と、ボルト先端が当たってスライドさせるための傾斜面(４２ａと４３ｂ)とを持ち、全体の外観としては角柱形状を成している。また、ここでの長側面(４１ａと４１ｂ)は、傾斜面(４２ａと４３ｂ)からさらに延面して縁部(４６ａと４６ｂ)を形成しており、長側面(４１ａと４１ｂ)は四角形平面となっている。
【００３２】
この回動型角ナット４０は、長側面(４５ａと４５ｂ)の中央を貫通する締付けボルト３０と螺合させるための螺子部４５と、ガイド部(５３ａと５３ｂ)の平坦内長面(５４ａと５４ｂ)と摺接する平坦外側面(４１ａと４１ｂ)と、この平坦外側面(４１ａと４１ｂ)上にあってガイド部(５３ａと５３ｂ)の平坦内長面(５４ａと５４ｂ)にある断面凹形の長溝部(５５ａと５５ｂ)と摺動可能に凹凸係合されるための突起部(４３ａと４３ｂ(図示しない))と、を備える。
【００３３】
また、図２(１)に示すように、この回動型角ナット４０の平坦外側面４１ａには、ガイド部(５３ａまたは５３ｂ)の側端面(５７ａまたは５７ｂ)に係止するための係止部４４ａが設けられている。このような係止部は、必要に応じて、平坦外側面４１ｂの側にも係止部４４ｂ(図示しない)として設けることができるが通常は片側のみでよい。
そして、この係止部４４ａがガイド体５３と係止する位置を明確に設定し、回動型角ナット４０をガイド部(５３ａと５３ｂ)の中に収納することを確実にするために、ガイド部(５３ａと５３ｂ)の側端辺部(５７ａと５７ｂ)には切欠き凹部(５８ａと５８ｂ)を形成している。このような構成により、係止部(４４ａ)を切欠き凹部(５８ａと５８ｂ)内への位置設定することを確実で容易なものとするとともに、回動型角ナット４０が側端辺部(５７ａと５７ｂ)から突出しないように収納できる構成が得られる。
【００３４】
さらに図２を用いて、導電接続ユニット１００の回動型角ナット４０と、ナット拘束部材５０の２体のガイド部(５３ａと５３ｂ)のあるガイド体５３との寸法および組み合わせ関係について述べる。
図２(１)の回動型角ナット４０は、平坦外側面(４１ａと４１ｂ)上に、螺子穴４５に締め付けボルト３０が進入する方向に平行する縦辺(対辺寸法ｘ１)を有し、また、外側面(４５ａと４５ｂ)上には、締め付けボルト３０が進入する方向に鉛直な横辺(対辺寸法ｘ２)を有し、これらの縦辺と横辺とによって回動型角ナット４０の矩形断面の４辺を構成している。なお、前記螺子穴４５の両挿入面には螺子が螺合し易いように若干の面取りを施しておくことが好ましい。
【００３５】
図２(２)のナット拘束部材５０のガイド部(５３ａと５３ｂ)は、２体のガイド部共に同じ形状のもの（相似形のもの）が用いられており、これら２体のガイド部(５３ａと５３ｂ)は、挿入される締め付けボルト３０の軸心に対して１８０度回転した位置にそれぞれが配置されている。これら２体のガイド部(５３ａと５３ｂ)による寸法としては、２つのガイド部の間隔寸法(ｙ２)と平坦内長面(５４ａと５４ｂ)間の横幅寸法(ｙ１)とがあって、これらｙ１とｙ２を図２(２)および図２(３)中に示している。
【００３６】
回動型角ナット４０は、ナット拘束部材５０の２体のガイド部(５３ａと５３ｂ)の中に組み込まれるので、回動型角ナット４０の対辺寸法(ｘ２)は、ガイド部(５３ａと５３ｂ)の間隔寸法(ｙ２)と等しいかそれを超えないように設定される。また、回動型角ナット４０の対辺寸法(ｘ１)は、ガイド部(５３ａと５３ｂ)に収納可能な寸法であればよいが、収納された状態において、ガイド部(５３ａと５３ｂ)の外側面(５６ａと５６ｂ)に接する円である外接円線５７(図２(３))から回動型角ナット４０が突出しないような寸法でなくてはならない。よって、設計上は、回動型角ナット４０の対辺寸法(ｘ１)をガイド部の横幅寸法(ｙ１)に一致させるか、ガイド部の横幅寸法(ｙ１)に多少前後させた範囲内の寸法を採用するのがよい。
【００３７】
図４(１)および(２)は、回動型角ナット４０とナット拘束部材５０とを組み合わせたときの下面図であって、これによって、導電接続ユニット１００の挿入時配置状態(１)と締め付け時配置状態(２)とを説明する。図４(１)および(２)での各部材の寸法については、回動型角ナット４０の対辺寸法(ｘ２)はガイド部の間隔寸法(ｙ２)に一致させ、かつ、回動型角ナット４０の対辺寸法(ｘ１)もガイド部の横幅寸法(ｙ１)に一致させ、これらのものを構成部材に用いることとした。
【００３８】
図４(１)は収納状態であり、回動型角ナット４０の突起部(４３ａと４３ｂ)は、ナット拘束部材５０の長溝部(５５ａと５５ｂ)の停止部(ＳａとＳｂ)の位置にあり、かつ、回動型角ナット４０の平坦側面(４１ａと４１ｂ)はナット拘束部材５０のガイド部(５３ａと５３ｂ)のある位置に合致した配置となっている。この収納状態は、回動型角ナット４０がガイド部(５３ａと５３ｂ)内に収納された形態であって、図２(３)の外接円線５７から回動型角ナット４０が突出することはなく、図１の導電部材６０の貫通穴６１を挿通することができる。
【００３９】
図４(２)はボルト締め付け状態であり、回動型角ナット４０の突起部(４３ａと４３ｂ)は、ナット拘束部材５０の長溝部(５５ａと５５ｂ)における停止部(５３ａと５３ｂ)を含むいずれかの位置にあって、かつ、回動型角ナット４０の平坦側面(４１ａと４１ｂ)の長手方向と、ナット拘束部材５０のガイド部(５３ａと５３ｂ)の長手方向とは、ほぼ９０度の角度を有するような配置となっている。この収納状態は、回動型角ナット４０に貫通する螺子穴４５に締め付けボルトがねじ込まれるときの配置であり、締め付け開始から締め付け完了まで状態ではこのような形態をとる。
【００４０】
図５(ａ)〜(ｃ)は、回動型角ナット４０とナット拘束部材５０との部材相互の位置関係を示す外観斜視図である。図５(ａ)は導電部材の貫通穴へ挿入されるときの形態であり、回動型角ナット４０がガイド部(５３ａと５３ｂ)に収納された配置を取っている。また、図５(ｂ)はボルト締付開始時の形態であって、回動型角ナット４０のスライド用の傾斜面４２ａが締め付けボルトの先端に押されることにより、回動型角ナット４０が９０度回転されたときの配置である。そして、図５(ｃ)は、さらにボルト締付が進行して、回動型角ナット４０が図の上部へ移動させられた形態であり、これは締め付け完了時の配置を示している。
【００４１】
図５(ａ)の収納状態については、その下面図は図４(１)と同様であって、回動型角ナット４０の突起部(４３ａと４３ｂ)は長溝部(５５ａと５５ｂ)の終端(下端)である停止部(ＳａとＳｂ)の位置にあり、回動型角ナット４０の係止部４４ａは、ガイド部５３ａの側端辺部５７ａに設けられた切欠き凹部５８ａ内に位置している。ここでは、回動型角ナット４０の係止部４４ａが、ガイド部５３ａの切欠き凹部５８ａに納まったときに収納状態となるように、あらかじめ設定されたものである。
【００４２】
図５(ｂ)の締め付け開始状態については、その下面図は図４(２)と同様であって、回動型角ナット４０の突起部(４３ａと４３ｂ)は図５(ａ)と同じく停止部(ＳａとＳｂ)の位置にあるものの、図５(ａ)の状態から回動型角ナット４０が約９０度回転した状態にある。これは、図５(ａ)の状態において、締め付けボルトが上方向から挿入されてくると、ボルトの先端が回動型角ナット４０の傾斜面４２ａに当たり、それをさらに押し付けることによって、傾斜面４２ａ上でスライドして、回動型角ナット４０が突起部(４３ａと４３ｂ)を中心に回転させられることによる。そのとき、回動型角ナット４０の係止部４４ａがガイド部５３ａの側端辺部５７ａに衝突したときの位置によって、回動型角ナット４０の回転角度が決定できるので、回転角度が約９０度となるような位置に回動型角ナット４０の係止部４４を設けることとしている。
また、この傾斜面４２ａに関しては、その傾斜角度・断面形状(平坦、曲線状、円形状、楕円状など)、大きさなどを規定する必要があるが、回動型角ナット４０が回転移動しやすいように、他の構成部材との兼ね合いも含め、適宜に設計して定められればよいものである。
【００４３】
図５(ｃ)の締め付け完了状態については、その下面図はやはり図４(２)と同様であるが、回動型角ナット４０の突起部(４３ａと４３ｂ)は、停止部(ＳａとＳｂ)から長溝部(５５ａと５５ｂ)に添って上方へ移動させられている。図５(ｃ)では、図５(ｂ)に続いて、回動型角ナット４０の螺子穴４５は締め付けボルトと螺合したままの状態であるので、回動型角ナット４０は、水平位置に保持されたままに上方向に持ち上げられた状態となっている。
【００４４】
図６(ａ)〜(ｃ)は、導電接続ユニット１００を導電部材６０に接続させるための取り付け作業にかかる複数の工程を示す説明図である。ここで、図６(ａ)〜(ｃ)に示す一連の作業は、全て導電部材６０より上面側にいる作業者の作業によって行なうことができ、これにより、この導電接続ユニット１００は、片面からの作業のみで取り付け作業を開始して完了できる所謂「ブラインドねじ機構」を備えていることが明らかとなっている。
【００４５】
図６(ａ)は、導電接続ユニット１００を収納状態にしておいて、これを導電部材６０の貫通穴に挿通させたときの状況を示しており、このときの回動型角ナット４０とナット拘束部材５０との位置関係は図５(ａ)のようになっている。
図６(ｂ)は、図６(ａ)に続いて、締め付けボルト３０をより深く挿入させて、回動型角ナット４０を約９０度回転させ、締め付けボルト３０と回動型角ナット４０の螺子穴とをボルト締め付け方向に一致させた状況を示している。このときの回動型角ナット４０とナット拘束部材５０との位置関係は、図５(ｂ)のようになっている。
【００４６】
図６(ｃ)は、図６(ｂ)に続いて、締め付けボルト３０を締め込んでいき、回動型角ナット４０の上面が導電部材６０の裏面に当接して、締め付けボルト３０、キャップ体５１、圧着端子２０、導電部材６０、回動型角ナット４０の各構成部材が一体的に堅固に結合されて、導電部材６０との導電接続が完了した状況を示している。このときの回動型角ナット４０とナット拘束部材５０との位置関係は、図５(ｃ)のようになっている。
【００４７】
図７は、本発明の導電接続ユニットの他の実施形態を示す図であって、図７(１)は導電接続ユニット１１０の上面図、図７(２)はその側面図である。ここでは、ナット拘束部材５０のキャップ体５１の外周側には突出部５９が形成されている。このようなキャップ体５１の突出部Ｔの構成は、キャップ体５１がボルトの締め付けに伴って回転したときに、この突出部Ｔが圧着端子２０の圧着部２１の端部または電線(電気導体)１１ａの端部に衝突するか引っ掛かるかすることにより、キャップ体５１の共回りを防止することを意図したものである。また、ここでの回動型角ナット４８は、図７(２)に示すように、傾斜面４８’の両側に縁部がないものを用いており、この構成が図２(１)に示す回動型角ナット４０とは異なっている。
【００４８】
図８は、ナット拘束部材のキャップ体において、その円環状の外周側に突出部を設ける例を示すための図である。図８(１)は、断面逆Ｕ字形のキャップ体５１ａについて、その外周の一部を切り欠いてそれを外側に引き出し、突出部Ｔａとして形成したものである。また、図８(２)は、キャップ体５１ｂの外周壁の一部が突出部Ｔｂとなるように、成型や鋳造技術などを用いて製造したものである。なお、このキャップ体は、アルミ／銅／鉄などの金属材料から製造されるとよい。
【００４９】
図９は導電接続ユニット１００または１１０において、導電部材６０に穿設した貫通穴６１の穴径に相当する内径を有する緩み防止部材６３をキャップ体５１と圧着端子２０の平板部２２との間に介在させて締付けボルト３０で締付けた導電接続ユニット１２０である。
なお、締付けボルトがＭ５ｍｍの場合、ナット拘束部材５０の円筒状胴部５３Ａの外径は１０.５ｍｍ程度なので、市販のＭ１０ｍｍ用のばね座金をそのまま使用することが出来る。
また、緩み防止部材６３としては、例えば、ばね座金．皿バネ座金．歯付き座金．波形ばね座金等のＪＩＳ規格の市販品を安価に使用できる。以上のような構成とすると、座金の反撥弾性力により締付けボルトの緩みなどの不具合をなくすことができるので、長期に亘って安定した導電接続を維持することが出来る。
【００５０】
図１０は、図９に関わりさらに他の実施形態を示したもので、キャップ体５１と圧着端子２０の平板部２２との間に介在させる緩み防止部材６４の形状を、貫通穴６１の穴径と同等な内径とし、且つ、その外径はキャップ体５１内に収納可能な外径であって、締付けボルト３０の締付け時に、キャップ体５１の底部に円板状の鍔部５３’を緩み防止部材６４により押付け固定するようにした構成して共回りを防止すると共に、緩み防止を図った導電接続ユニット１３０である。
【００５１】
以上の構成とすることにより、締付けボルト３０の締付け時にナット拘束部材５０の鍔部５３’が緩み防止部材６４によりキャップ体５１の底部に押圧されるから、ナット拘束部材５０の共回りを防止して作業効率を向上し得ると同時に締付けボルト３０の緩み防止を図ることが出来るので好都合である。なお、図１０の実施形態の場合、市販のばね座金の寸法に適合するようにキャップ体５１の深さや内径をそれぞれ適宜変更すればよい。また、円筒状胴部５３Ａの長さＨは導電部材６０の厚さ以下として、締付け固定時に回動型角ナット４０螺子穴４５の挿入面に突き当らないような長さとされている。
【００５２】
本発明による導電接続ユニットは、ビル壁面に取り付けられたカーテンウォールの金属製枠体相互あるいはこの金属性枠体と直近にある建造物の鉄骨などの導電性構造体とを、全て導電接続ユニットで接続し、電気的に閉回路を構成して短絡導通されて使用されるとよい。また、これらのカーテンウォール用の導電接続ユニットは、適宜の箇所で構造体の接地電極に接地されるとよい。ここでの接地電極は、例えばコンクリート内の相互接続した鉄筋あるいはその他の地下構造物に接続され、それらは大地面へ接続されて接地がとられる。
また、本発明による導電接続ユニットは、地震や強風などの揺れに対しても過大な張力が作用しないようにするために、または経済的な長さとするために、一般的には、電線等の電気導体を結ぶ圧着端子間の長さ（距離）を１５〜５０ｃｍとするとよい。
【００５３】
本発明による導電接続ユニットは、カーテンウォール用のユニットとして、高層ビルなどへのカーテンウォール枠体などに取付ける場合に適用できるが、低・中層の一般建造物に取付け得ることも当然であり、この場合にはカーテンウォールなどから侵入する側雷などの避雷対策を一層確実なものとすることが出来ることは言うまでもない。また、ビルの外壁面にカーテンウォール枠体を設置後、本発明によるカーテンウォール用の導電接続ユニットを後付けしてもよい。
【００５４】
また、つぎに示すような方法とすれば、本発明の応用範囲を一層広範囲にしかも経済的な方法で実施できて都合が良い。
即ち、ビルの設計時に側雷対策情報を取込んで、予めカーテンウォール枠体に導電接続ユニットの取付け穴（貫通穴）を複数箇所にあけて置くと共に、これらの取付け穴（貫通穴）に導電接続ユニットの圧着端子の一方を固着しておき、ビル壁面にカーテンウォール枠体を固定後、他方の導電接続ユニットの圧着端子でカーテンウォール枠体相互を電気的に導通連結するようなカーテンウォール用の導電接続ユニットの取付け方法として実施することができ、これにより、カーテンウォール用導電接続ユニットの取付け工事時間を半減させることができ、しかも安価に実施できて一層経済的である。
【００５５】
なお、上記の方法ではカーテンウォール枠体をビル壁面に固定する前に導電接続ユニットの圧着端子をカーテンウォール枠体に容易に固着出来るから、導電接続ユニットの両端子共、本発明構造の導電接続ユニットとする必要はなく、少なくとも一方は、例えば従来の緩み止め機能を有するナットを用いて固定するようにしても良い。このように構成すれば、導電接続ユニット１００を簡略化できるし、しかもより安価なものとなし得る。
【００５６】
本発明では、被接地物としては、建物の外壁面などに用いられている導電性のカーテンウォールが適用されるとよいが、本発明の導電接続ユニットをカーテンウォール枠体などの導電部材に締付けする方法は、次のとおりである。
アルミ撚り線(電気導体)の両端末に固着した圧着端子に、締付けボルト／回動型角ナット／ナット拘束部材を組み込んで一体化した前記の導電接続ユニットを用い、カーテンウォール枠体に穿設した締付け穴(貫通穴)に、このナット拘束部材のガイド体を差し込んで、締付けボルトを締め込んで回動型角ナットを約９０度回転させて、さらに締付けボルトを締め込んで締付けボルトと回動型角ナットとを螺合させる。
こうして、導電接続ユニットは、電気的に遊離したカーテンウォール枠体相互を電気的に導通連結した構成となるので、カーテンウォール枠体で覆われたビルの壁面全体が等電位ボンディング化されるので側雷などの雷害を回避できる。
【００５７】
そして、圧着端子に接続される電気導体としては、アルミ・銅・鉄など材料からなる撚り線や可撓性のある電気導体が用いられるとよく、より好ましくは、これら電気導体としてはアルミ撚り線を適用して、このアルミ撚り線の長さを１５cm以上５０ｃｍ以下として構成するとよい。
【００５８】
また、本発明による導電接続ユニットでの、圧着端子のキャップ部に設けた突出部は、キャップ体の回転時にこの突出部が電気導体の端部または前記圧着端子の圧着部と係止することによって、締付けボルトの締め付け時に前記ナット拘束部材の共回りを防止する構造を備えるものであるが、このような突出部は、周知の手段により適宜に形成されればよいものであるが、例えば、キャップ部の一部位に切込みを入れてこれを引き出すというようにして形成されてもよいし、キャップ部の外側部から予め突出する部位を形成しておいてこれを突出部として用いてもよい。
【００５９】
さらに、本発明による導電接続ユニットを用いて、複数の導電部材を導電接続させる方法にあっては、導電部材であるカーテンウォールに略円筒形となる２つのガイド部よりもわずかに大きい取付け穴(貫通穴)を穿設しておき、この取付け穴に導電接続ユニットの２つのガイド部を差し込んで挿入させ、そして、締め付けボルトをナットに螺合させて締め付けていき、カーテンウォール相互を電気的に導通連結するようにする導電接続ユニットの取付け方法とすることができる。
【００６０】
また、本発明による導電接続ユニットを用いて、複数の導電部材を導電接続させる方法にあっては、導電部材であるカーテンウォール枠体に、予め導電接続ユニットの取付け穴(貫通穴)を複数箇所にあけて置くと共に、この取付け穴に導電接続ユニットの端子の一方を固着しておき、建築物壁面にカーテンウォール枠体を固定後、他方の導電接続ユニットの圧着端子でカーテンウォール枠体相互あるいはカーテンウォールと建築物の鉄骨などの導電性構造体を電気的に導通連結する導電接続ユニットの取付け方法とすることができる。
【産業上の利用可能性】
【００６１】
本発明による導電接続ユニットは、上記のように、建物の構造体や外壁部材などの導電部材を電気的に接続して、雷サージ電流などを外部に流すための導電接続通路を形成する避雷技術の産業分野において適用されることができる。また、本導電接続ユニットは、建物の外壁面となる導電性のカーテンウォールから電気的導通を取る技術分野で活用されるのが好適であって、とりわけ締め付け作業において構成部材の共回りがなくその取り付け作業が極めて効率的にできるという優れた特徴を備えているので、カーテンウォールを持つ建物への適用性や取り付け作業性を飛躍的に向上させることができ、落雷時においては大変優れた避雷性能を発揮することができる。
【図面の簡単な説明】
【００６２】
【図１】本発明の一実施形態にかかる導電接続ユニットの構成図であり、図１(１)は導電接続ユニット１００の上面外観図、図１(２)は導電接続ユニット１００の一部断面図を含む側面外観図である。
【図２】図２(１)は図１の導電接続ユニット１００の構成部材である回動型角ナット４０を示す外観斜視図であり、また、図２(２)は同じくナット拘束部材５０を示す外観斜視図であって、次の図２(３)はそのナット拘束部材５０の下面図である。
【図３】図１の導電接続ユニット１００の構成部材であるナット拘束部材５０が、キャップ体５１とガイド体５３とを組み合わせた構造を有することを示すための構造図である。
【図４】回動型角ナット４０をナット拘束部材５０に組み込んだときの状態を示す下面図であり、図４(１)は回動型角ナット４０がナット拘束部材５０に収納された挿入時状態を、図４(２)は回動型角ナット４０が挿入時状態から９０度回転されて横方向に向けられ、締め付けボルトと螺合される位置になった締め付け開始から完了までの状態を示す図である。
【図５】回動型角ナット４０とナット拘束部材５０との部材相互が組み合わされたときの位置関係を示す外観斜視図であって、図５(ａ)は挿入時の収納配置状態を、図５(ｂ)は締付開始時の配置状態を、図５(ｃ)は締付完了時の配置状態をそれぞれ示す。
【図６】導電接続ユニット１００を導電部材６０に接続するための取り付け作業をするときの外観斜視による説明図であって、図６(ａ)は挿入時の状況を、図５(ｂ)は締付開始時の状況を、図５(ｃ)は締付完了時の状況をそれぞれ示す。
【図７】本発明による他の実施形態として導電接続ユニット１１０を示す上面図(図７(１))と側面図(図７(２))である。
【図８】ナット拘束部材のキャップ体の外周側にある突出部Ｔの例を示す図である。
【図９】本発明による他の実施形態として導電接続ユニット１２０を示す側面略図である。
【図１０】本発明によるまた他の実施形態として導電接続ユニット１３０を示す一部切開側面略図である。
【符号の説明】
【００６３】
１００、１１０、１２０、１３０    導電接続ユニット
１０    電気導体
２０    圧着端子
２１    圧着端子の圧着部
２２    圧着端子の平板部
２３    挿通穴
３０    締付けボルト
３１    締付けボルトの頭部
４０    回動型角ナット
４１ａ、４１ｂ    両側にある平坦外側面
４２ａ、４２ｂ    傾斜面
４３ａ、４３ｂ    突起部
４４ａ  係止部
４５    螺子穴
４５ａ、４５ｂ    平坦な長側面
４６ａ、４６ｂ    縁部
４８    縁部がない回動型角ナット
４８’  傾斜面
５０    ナット拘束部材
５１    キャップ体
Ｃ１    キャップ体の内径
５２    ボルト穴
５３    ガイド体
５３’  ガイド体の鍔部
Ｇ１    鍔部の外径
５３Ａ  ガイド体の円筒状胴部
５３ｈ  ガイド体の中央穴部
５３ａ、５３ｂ    ガイド体のガイド部
５４ａ、５４ｂ    平坦内長面
５５ａ、５５ｂ    長溝部
Ｓａ、Ｓｂ        長溝部の停止部（終端部）
５６ａ、５６ｂ    外側面
５７ａ、５７ｂ    側端辺部
５８ａ、５８ｂ    切欠き凹部
５７    外側面(５６ａと５６ｂ)が接する円
６０    導電部材
６１    導電部材の貫通穴（取付穴）
６２    円筒状胴部
６３、６４    緩み防止部材
ｘ１    回動型角ナット４０の縦辺寸法
ｘ２    回動型角ナット４０の横辺寸法
ｙ１    ガイド部の側端辺部間の寸法（横幅寸法）
ｙ２    ガイド部の間隔寸法
１１０  導電接続ユニット
Ｔ、Ｔａ、Ｔｂ    キャップ体の突出部
Ｈ      円筒状胴部の長さ
【図１】
2006172834.tif 000003
【図２】
2006172834.tif 000004
【図３】
2006172834.tif 000005
【図４】
2006172834.tif 000006
【図５】
2006172834.tif 000007
【図６】
2006172834.tif 000008
【図７】
2006172834.tif 000009
【図８】
2006172834.tif 000010
【図９】
2006172834.tif 000011
【図１０】
2006172834.tif 000012